(57)【要約】【課題】従来の車両用灯具では、所定の配光パターンの光度が不足する。【解決手段】この発明は、半導体型光源１およびレンズ部材２を備える。半導体型光源１は、４個の発光チップ１１〜１４を有する。レンズ部材２は、屈折系部分３と、反射系部分４と、から構成されている。屈折系部分３は、入射面５と、出射面６と、を有する。反射系部分４は、入射面７と、反射面８と、出射面９と、を有する。屈折系部分３の出射面６の周縁部分は、放射状に８個に分割されている。屈折系部分３の８個の出射面６は、それぞれ、出射光Ｌ６の出射方向が所定の方向となるように、補正されている。この結果、この発明は、所定の配光パターンの光度が十分に満足することができる。【選択図】        図２
2016100087.tif 000002
【特許請求の範囲】
【請求項１】
灯室を区画するランプハウジングおよびランプレンズと、
前記灯室内に配置されている半導体型光源およびレンズ部材と、
を備え、
前記半導体型光源は、複数個の発光チップを有し、
複数個の前記発光チップは、前記レンズ部材の中心軸を中心として配置されていて、
前記レンズ部材は、中央部分の屈折系部分と、周辺部分の反射系部分と、から構成されていて、
前記屈折系部分は、複数個の前記発光チップからの光を内部に入射させる入射面と、前記内部に入射した入射光を出射光として外部に出射させる出射面と、を有し、
前記反射系部分は、複数個の前記発光チップからの光を内部に入射させる入射面と、前記内部に入射した入射光を反射させる反射面と、前記反射面で反射した反射光を出射光として外部に出射させる出射面と、を有し、
前記屈折系部分の前記出射面は、前記中心軸を中心とする放射状に複数個に分割されていて、
前記屈折系部分の複数個の前記出射面は、それぞれ、前記出射光の出射方向が所定の方向となるように、補正されている、
ことを特徴とする車両用灯具。
【請求項２】
前記反射系部分の前記出射面は、前記中心軸を中心とする放射状に複数個に分割されていて、
前記反射系部分の複数個の前記出射面は、それぞれ、前記出射光の出射方向が所定の方向となるように、補正されている、
ことを特徴とする請求項１に記載の車両用灯具。
【請求項３】
前記屈折系部分の前記出射面および前記反射系部分の前記出射面には、前記出射光を拡散させる拡散系光学素子群がそれぞれ設けられている、
ことを特徴とする請求項１または２に記載の車両用灯具。
【請求項４】
前記屈折系部分の前記出射面および前記反射系部分の前記出射面は、平面をなし、
平面をなす前記屈折系部分の前記出射面および前記反射系部分の前記出射面からの前記出射光を拡散させる拡散系レンズ部材が、前記レンズ部材と別個に設けられている、
ことを特徴とする請求項１または２に記載の車両用灯具。
【発明の詳細な説明】
【技術分野】
【０００１】
この発明は、半導体型光源と、レンズ部材と、を備えた車両用灯具であって、たとえば、リアフォグランプ、テールランプ、ストップランプ、テール・ストップランプ、クリアランスランプ、ターンシグナルランプ、デイタイムランニングランプなどの車両用灯具に関するものである。
【背景技術】
【０００２】
この種の車両用灯具は、従来からある（たとえば、特許文献１、特許文献２）。以下、従来の車両用灯具について説明する。
【０００３】
従来の特許文献１の車両用灯具は、１個の光源（点光源、例えば、ＬＥＤ）と、導光レンズと、を備え、導光レンズに、第１光入射面、第２光入射面、第３光入射面、第４光入射面、第４光出射面、第１光反射面、第２光反射面、第１光出射面、第２光出射面、第３光出射面を、設けたものである。１個の光源からの光は、第１光入射面、第１光反射面、第１光出射面を経て、第２光入射面、第４光出射面、空気層、第４光入射面、第２光反射面、第２光出射面を経て、第３光入射面、第３光出射面を経て、外部に出射される。これにより、所定の配光パターンのランプ機能として作用する。
【０００４】
従来の特許文献２の車両用灯具は、１個の発光素子を有するＬＥＤ光源と、レンズと、を備え、レンズに、入射面、反射面、出射面を、設けたものである。１個の発光素子からの光は、入射面を透過し、反射面で反射し、出射面から外部に出射される。これにより、所定の配光パターンのランプ機能として作用する。
【先行技術文献】
【特許文献】
【０００５】
【特許文献１】特開２００９−２４４３１６号公報
【特許文献２】特開２０１２−１９０６７７号公報
【発明の概要】
【発明が解決しようとする課題】
【０００６】
ところが、従来の特許文献１の車両用灯具は、１個の光源を使用するものであり、また、従来の特許文献２の車両用灯具は、１個の発光素子を有するＬＥＤ光源を使用するものである。このために、従来の特許文献１、２の車両用灯具は、所定の配光パターンの光度（光束量、光量、照度、輝度など）が不足する場合がある。
【０００７】
この発明が解決しようとする課題は、従来の車両用灯具では、所定の配光パターンの光度が不足する場合がある、という点にある。
【課題を解決するための手段】
【０００８】
この発明（請求項１にかかる発明）は、灯室を区画するランプハウジングおよびランプレンズと、灯室内に配置されている半導体型光源およびレンズ部材と、を備え、半導体型光源が、複数個の発光チップを有し、複数個の発光チップが、レンズ部材の中心軸を中心として配置されていて、レンズ部材が、中央部分の屈折系部分と、周辺部分の反射系部分と、から構成されていて、屈折系部分が、複数個の発光チップからの光を内部に入射させる入射面と、内部に入射した入射光を出射光として外部に出射させる出射面と、を有し、反射系部分が、複数個の発光チップからの光を内部に入射させる入射面と、内部に入射した入射光を反射させる反射面と、反射面で反射した反射光を出射光として外部に出射させる出射面と、を有し、屈折系部分の出射面が、中心軸を中心とする放射状に複数個に分割されていて、屈折系部分の複数個の出射面が、それぞれ、出射光の出射方向が所定の方向となるように、補正されている、ことを特徴とする。
【０００９】
この発明（請求項２にかかる発明）は、反射系部分の出射面が、中心軸を中心とする放射状に複数個に分割されていて、反射系部分の複数個の出射面が、それぞれ、出射光の出射方向が所定の方向となるように、補正されている、ことを特徴とする。
【００１０】
この発明（請求項３にかかる発明）は、屈折系部分の出射面および反射系部分の出射面には、出射光を拡散させる拡散系光学素子群がそれぞれ設けられている、ことを特徴とする。
【００１１】
この発明（請求項４にかかる発明）は、屈折系部分の出射面および反射系部分の出射面が、平面をなし、平面をなす屈折系部分の出射面および反射系部分の出射面からの出射光を拡散させる拡散系レンズ部材が、レンズ部材と別個に設けられている、ことを特徴とする。
【発明の効果】
【００１２】
この発明の車両用灯具は、半導体型光源が複数個の発光チップを有するので、所定の配光パターンの光度が十分に満足することができる。すなわち、制御することができる光（有効光束量）を増加させることができるので、配光パターンの設計が容易になる。しかも、この発明の車両用灯具は、屈折系部分の複数個の出射面が、それぞれ、出射光の出射方向が所定の方向となるように、補正されているものである。このために、出射光を無駄なく所定の配光パターンの形成に寄与させることができる。これにより、所定の配光パターンの光度がさらに十分に満足することができる。すなわち、制御することができる光（有効光束量）をさらに増加させることができるので、配光パターンの設計がさらに容易になる。
【図面の簡単な説明】
【００１３】
【図１】図１は、この発明にかかる車両用灯具の実施形態１を示す半導体型光源の発光チップおよびレンズ部材の正面図（レンズ部材から見た正面図）である。
【図２】図２は、光路を示す説明図であって、図１におけるＩＩ−ＩＩ線断面説明図である。
【図３】図３は、出射面が平面でありかつ分割補正前のレンズ部材を使用した場合の光路を示す説明図である。
【図４】図４は、出射面が平面でありかつ分割補正後のレンズ部材を使用した場合の光路を示す説明図である。
【図５】図５は、リアフォグランプの配光パターンを示す説明図である。
【図６】図６は、レンズ部材の屈折系部分の第１出射面の補正の状態を示す説明図であって、４個の発光チップの投影パターンを示す説明図である。
【図７】図７は、レンズ部材の屈折系部分の第２出射面の補正の状態を示す説明図であって、４個の発光チップの投影パターンを示す説明図である。
【図８】図８は、レンズ部材の屈折系部分の全出射面の補正の状態を示す説明図であって、４個の発光チップの投影パターンを示す説明図である。
【図９】図９は、レンズ部材の反射系部分の第１出射面の補正の状態を示す説明図であって、４個の発光チップの投影パターンを示す説明図である。
【図１０】図１０は、レンズ部材の反射系部分の第２出射面の補正の状態を示す説明図であって、４個の発光チップの投影パターンを示す説明図である。
【図１１】図１１は、レンズ部材の反射系部分の全出射面の補正の状態を示す説明図であって、４個の発光チップの投影パターンを示す説明図である。
【図１２】図１２は、レンズ部材の反射系部分の第１出射面および第２出射面の別の補正の状態を示す説明図であって、４個の発光チップの投影パターンを示す説明図である。
【図１３】図１３は、レンズ部材の反射系部分の第１出射面および第４出射面および第５出射面および第８出射面の別の補正の状態を示す説明図およびレンズ部材の反射系部分の第２出射面および第３出射面および第６出射面および第７出射面の別の補正の状態を示す説明図であって、４個の発光チップの投影パターンを示す説明図である。
【図１４】図１４は、レンズ部材の反射系部分の全出射面の別の補正の状態を示す説明図であって、４個の発光チップの投影パターンを示す説明図である。
【図１５】図１５は、この発明にかかる車両用灯具の実施形態２を示す光路の説明図（図２に対応する説明図）である。
【発明を実施するための形態】
【００１４】
以下、この発明にかかる車両用灯具の実施形態（実施例）のうちの２例について図面に基づいて詳細に説明する。なお、この実施形態によりこの発明が限定されるものではない。図５において、符号「ＶＵ−ＶＤ」は、スクリーンの上下の垂直線を示す。符号「ＨＬ−ＨＲ」は、スクリーンの左右の水平線を示す。
【００１５】
（実施形態１の構成の説明）
図１〜図１５は、この発明にかかる車両用灯具の実施形態１を示す。以下、この実施形態１における車両用灯具の構成について説明する。実施形態１の車両用灯具は、灯室（図示せず）を区画するランプハウジング（図示せず）およびランプレンズ（図示せず）と、灯室内に配置されている半導体型光源１およびレンズ部材２と、を備えるものである。
【００１６】
前記半導体型光源１および前記レンズ部材２は、この例では、リアフォグランプのランプユニットを構成する。前記半導体型光源１および前記レンズ部材２のリアフォグランプのランプユニットは、その他の機能のランプユニットと共にリアコンビネーションランプを構成する。前記リアコンビネーションランプは、車両（図示せず）の後部の左右両側に搭載されている。前記半導体型光源１および前記レンズ部材２から構成されているリアフォグランプのランプユニットは、所定のリアフォグランプの配光パターンを車両の後方に照射する。
【００１７】
（リアフォグランプの配光パターンの説明）
以下、リアフォグランプの配光パターンについて図５を参照して説明する。図５（Ａ）は、理想のリアフォグランプの配光パターンＲＦＰを示す。図５（Ｂ）は、スクリーンの左右の水平線ＨＬ−ＨＲの０°における光度線（光度曲線）を示す。図５（Ｃ）は、スクリーンの上下の垂直線ＶＵ−ＶＤの０°における光度線（光度曲線）を示す。図５（Ｂ）、（Ｃ）において、実線は、理想のリアフォグランプの配光パターンＲＦＰの光度線を示し、二点鎖線は、実施形態１の車両用灯具（分割補正後）によるリアフォグランプの配光パターンの光度曲線を示し、破線は、実施形態１の車両用灯具の分割補正前の車両用灯具によるリアフォグランプの配光パターンの光度曲線を示す。
【００１８】
前記理想のリアフォグランプの配光パターンＲＦＰは、図５に示すように、太い実線で示す上下左右の十字（ＨＬの１０°〜ＨＲの１０°、ＶＵの５°〜ＶＤの５°）において最高光度Ａｃｄ（たとえば、１５０ｃｄ以上）であり、破線で示す菱形形状内において所定の光度（たとえば、７５ｃｄ以上）である特性を有する。
【００１９】
（半導体型光源１の説明）
前記半導体型光源１は、この例では、たとえば、ＬＥＤ、ＯＥＬまたはＯＬＥＤ（有機ＥＬ）などの自発光半導体型光源である。前記半導体型光源１は、基板１０と、前記基板１０に実装されている複数個この例では４個の発光チップ（ＬＥＤチップ）、すなわち、第１発光チップ１１、第２発光チップ１２、第３発光チップ１３、第４発光チップ１４（以下、単に「発光チップ１１〜１４」と称する場合がある）と、から構成されている。
【００２０】
４個の前記発光チップ１１〜１４は、前記レンズ部材２の中心軸（光軸）Ｏを中心として配置されている。すなわち、４個の前記発光チップ１１〜１４は、前記レンズ部材２の前記中心軸Ｏを中心とする円周（図示せず）上において等間隔に配置されている。あるいは、４個の前記発光チップ１１〜１４は、前記レンズ部材２の前記中心軸Ｏを中心とする正方形の（図示せず）の４角上にそれぞれ配置されている。
【００２１】
前記半導体型光源１は、取付部材など（図示せず）を介して前記ランプハウジングに取り付けられている。前記半導体型光源１は、前記基板１０を介して４個の前記発光チップ１１〜１４に電流をそれぞれ供給する。４個の前記発光チップ１１〜１４は、それぞれ、電流が供給されることにより、発光して光を放射する。なお、図面においては、第１発光チップ１１、第２発光チップ１２から放射される光Ｌ１、Ｌ２を図示し、第３発光チップ１３、第４発光チップ１４から放射される光の図示を省略してある。
【００２２】
（レンズ部材２の説明）
前記レンズ部材２は、図１に示すように、正面視の形状（車両の後方から車両の後部を見た形状）が前記中心軸Ｏを中心とする円形の形状をなし、かつ、図２（Ａ）、（Ｂ）に示すように、断面形状が杯（逆台形）の形状をなす。前記レンズ部材２は、この例では、ＰＣ（ポリカーボネート）、ＰＭＭＡ（ポリメタクリル酸メチル、メタクリル樹脂）などの透明樹脂材からなる。前記レンズ部材２は、取付部材など（図示せず）を介して前記ランプハウジングに取り付けられている。すなわち、前記半導体型光源１と前記レンズ部材２とは、相対取付位置が維持されている状態で前記ランプハウジングに取り付けられている。
【００２３】
前記レンズ部材２は、中央部分の屈折系部分３と、周辺部分の反射系部分４と、から構成されている。前記屈折系部分３は、正面視の形状が前記中心軸Ｏを中心とする円形の形状をなす。前記反射系部分４は、正面視の形状が前記中心軸Ｏを中心とする円環状の形状をなす。
【００２４】
（屈折系部分３の説明）
前記屈折系部分３は、４個の前記発光チップ１１〜１４からの光Ｌ１、Ｌ２を内部に入射させる入射面５と、前記内部に入射した入射光Ｌ５を出射光Ｌ６として外部に出射させる出射面６と、を有する。
【００２５】
前記屈折系部分３の前記入射面５は、前記中心軸Ｏ上もしくはその近傍（図２（Ｂ）中の発光チップ１０１もしくはその近傍）を焦点とする双曲線を、前記双曲線の主軸（前記中心軸Ｏ）を回転軸として回転させてなる回転双曲面の屈折面である。このために、前記屈折系部分３の前記入射面５は、図２（Ｂ）に示すように、前記発光チップ１０１からの光Ｌ０を平行入射光もしくはほぼ平行入射光（以下、単に「平行入射光」と称する）Ｌ５０として入射させる面である。前記平行入射光Ｌ５０は、前記中心軸Ｏと平行もしくはほぼ平行である。
【００２６】
前記屈折系部分３の前記出射面６は、複数個この例では９個に分割されている。すなわち、前記屈折系部分３の前記出射面６は、正面視の形状が前記中心軸Ｏを中心とする円形の形状をなす中央部分６０と、正面視の形状が前記中心軸Ｏを中心とする円環状の形状をなす周辺部分と、に段差を介して分割されている。すなわち、前記中央部分６０は、前記周辺部分に対して凹んでいる。
【００２７】
前記屈折系部分３の前記出射面６の前記周辺部分は、前記中心軸Ｏを中心とする放射状に複数個この例では８個、すなわち、第１出射面６１、第２出射面６２、第３出射面６３、第４出射面６４、第５出射面６５、第６出射面６６、第７出射面６７、第８出射面６８（以下、単に「出射面６１〜６８」と称する場合がある）に等分に分割されている。分割線は、前記第１発光チップ１１、前記中心軸Ｏ、前記第３発光チップ１３を通る直線と、前記第２発光チップ１２、前記中心軸Ｏ、前記第４発光チップ１４を通る直線と、その２直線を前記中心軸Ｏを中心に時計方向あるいは反時計方向に４５°回転させてなる２直線と、からなる。
【００２８】
前記屈折系部分３の前記周辺部分の８個の前記出射面６１〜６８は、それぞれ、前記出射光Ｌ６の出射方向が所定の方向となるように、補正されている。前記屈折系部分３の前記出射面６には、前記出射光Ｌ６を拡散させる拡散系光学素子群この例では魚眼プリズム群６９がそれぞれ設けられている。
【００２９】
（反射系部分４の説明）
前記反射系部分４は、４個の前記発光チップ１１〜１４からの光Ｌ１、Ｌ２を内部に入射させる入射面７と、前記内部に入射した入射光Ｌ７を反射させる反射面８と、前記反射面８で反射した反射光Ｌ８を出射光Ｌ９として外部に出射させる出射面９と、を有する。
【００３０】
前記反射系部分４の前記入射面７は、前記中心軸Ｏに対して前記出射面６、９側から前記半導体型光源１側にかけて若干広くなるような角度（前記レンズ部材２の成形金型の抜き度）で傾斜している直線を、前記中心軸Ｏを回転軸として回転させてなる回転面（円筒面）の屈折面である。
【００３１】
前記反射系部分４の前記反射面８は、前記中心軸Ｏに対して前記出射面６、９側から前記半導体型光源１側にかけて狭まるような角度で傾斜している直線を、前記中心軸Ｏを回転軸として回転させてなる回転面（円錐台形筒面）の反射面である。前記反射系部分４の前記反射面８は、図２（Ｂ）に示すように、前記発光チップ１０１からの光Ｌ０であって、前記反射系部分４の前記入射面７から入射した入射光Ｌ７を平行反射光もしくはほぼ平行反射光（以下、単に「平行反射光」と称する）Ｌ８０として反射させる面である。前記平行反射光Ｌ８０は、前記中心軸Ｏと平行もしくはほぼ平行である。
【００３２】
前記反射系部分４の前記出射面９は、前記中心軸Ｏを中心とする放射状に複数個この例では８個、すなわち、第１出射面９１、第２出射面９２、第３出射面９３、第４出射面９４、第５出射面９５、第６出射面９６、第７出射面９７、第８出射面９８（以下、単に「出射面９１〜９８」と称する場合がある）に等分に分割されている。前記反射系部分４の８個の前記出射面９１〜９８の分割は、前記屈折系部分３の８個の前記出射面６１〜６８の分割と同様である。
【００３３】
前記反射系部分４の８個の前記出射面９１〜９８は、それぞれ、前記出射光Ｌ９の出射方向が所定の方向となるように、補正されている。前記反射系部分４の前記出射面９１〜９８には、前記出射光Ｌ９を拡散させる拡散系光学素子群この例では魚眼プリズム群９９がそれぞれ設けられている。
【００３４】
（出射面６、９の分割補正の必要性の説明）
以下、前記出射面６、９の分割補正の必要性について図２（Ａ）、（Ｂ）を参照して説明する。図２（Ａ）は、実施形態１の車両用灯具の光路を示す断面説明図である。図２（Ｂ）は、比較例の車両用灯具の光路を示す断面説明図である。なお、図２（Ｂ）中、図１、図２（Ａ）、図３〜図１５と同符号は、同一のものを示す。
【００３５】
比較例の車両用灯具は、半導体型光源１００と、レンズ部材２００と、を備えるものである。前記半導体型光源１００は、１個の発光チップ１０１を有する。比較例の前記レンズ部材２００は、実施形態１の前記レンズ部材２とほぼ同様の構成をなす。すなわち、比較例の前記レンズ部材２００の入射面５、７および反射面８は、実施例１の前記レンズ部材２の前記入射面５、７および前記反射面８と同様もしくはほぼ同様の構成をなす。また、前記レンズ部材２００の出射面６、９は、分割されていなく、かつ、補正されていない。
【００３６】
比較例の車両用灯具は、前記半導体型光源１００の１個の前記発光チップ１０１が前記レンズ部材２００の中心軸Ｏ上に配置されている。このために、比較例の車両用灯具は、１個の前記発光チップ１０１から放射される光Ｌ０であって、前記レンズ部材２００の屈折系部分３中に入射した入射光Ｌ５０および前記レンズ部材２００の反射系部分４中において反射した反射光Ｌ８０が、図２（Ｂ）に示すように、前記中心軸Ｏに平行もしくはほぼ平行である。これに対して、実施形態１の車両用灯具は、前記半導体型光源１の４個の前記発光チップ１１〜１４が前記レンズ部材２の前記中心軸Ｏから離れて（ずれて）配置されている。このために、実施形態１の車両用灯具は、前記レンズ部材２の前記屈折系部分３中に入射した前記入射光Ｌ５および前記レンズ部材２の前記反射系部分４中において反射した前記反射光Ｌ８が、図２（Ａ）に示すように、前記中心軸Ｏに対して、傾斜している。
【００３７】
このために、実施形態１の車両用灯具は、前記レンズ部材２として、比較例の前記レンズ部材２００をそのまま（すなわち、出射面６、９を分割せずにかつ補正しないまま）使用する。すると、前記レンズ部材２００の出射面６、９からの出射光Ｌ６、Ｌ９が広く拡散して、リアフォグランプの配光パターンが広く拡散する。これにより、広く拡散したリアフォグランプの配光パターンの光度曲線は、図５（Ｂ）、（Ｃ）中の破線に示す光度曲線となる。この破線に示す光度曲線は、図５（Ｂ）、（Ｃ）中の実線に示す理想のリアフォグランプの配光パターンＲＦＰの光度線に対して、外側に広く広がっている。このように、実施形態１の車両用灯具は、前記レンズ部材２として、比較例の前記レンズ部材２００をそのまま使用すると、発光チップを１個（１０１）から４個（１１〜１４）に増やして、制御することができる光（有効光束量）を増やしたのにも拘わらず、制御することができる光（有効光束量）を無駄にしている。
【００３８】
そこで、実施形態１の車両用灯具は、比較例の前記レンズ部材２００の前記出射面６、９を分割してかつ補正した前記レンズ部材２を使用する。すると、前記レンズ部材２の出射面６、９からの出射光Ｌ６、Ｌ９が所定の方向に照射されて、所定のリアフォグランプの配光パターンが得られる。これにより、所定のリアフォグランプの配光パターンの光度曲線は、図５（Ｂ）、（Ｃ）中の二点鎖線に示す光度曲線となる。この二点鎖線に示す光度曲線は、図５（Ｂ）、（Ｃ）中の実線に示す理想のリアフォグランプの配光パターンＲＦＰの光度線に近似する。すなわち、この二点鎖線に示す光度曲線は、前記の破線に示す光度曲線に対して、内側に狭まっている。このように、実施形態１の車両用灯具は、前記出射面６、９を分割してかつ補正した前記レンズ部材２を使用すると、制御することができる光（有効光束量）を有効に利用することができる。このように、前記レンズ部材２の前記出射面６、９の分割補正が必要である。
【００３９】
（出射面６、９の分割補正の説明）
以下、前記出射面６、９の分割補正について図３、図４を参照して説明する。図３は、出射面６００、９００が平面でありかつ分割補正前のレンズ部材２０１を使用した場合の光路を示す説明図である。図３（Ａ）は、実施形態１の車両用灯具の半導体型光源１（４個の発光チップ１１〜１４）を使用した場合の光路を示す説明図である。図３（Ｂ）は、比較例の車両用灯具の半導体型光源１００（１個の発光チップ１０１）を使用した場合の光路を示す説明図である。図４は、出射面６１０、６４０、９１０、９４０が平面でありかつ分割補正後のレンズ部材２０を使用した場合の光路を示す説明図である。
【００４０】
図３（Ｂ）においては、図２（Ｂ）に示す比較例の車両用灯具の通り、前記中心軸Ｏに平行もしくはほぼ平行である前記平行入射光Ｌ５０および前記平行反射光Ｌ８０が前記出射面６００、９００から前記中心軸Ｏに平行もしくはほぼ平行である平行出射光Ｌ６０、Ｌ９０として出射される。これに対して、図３（Ａ）においては、図２（Ａ）に示す実施形態１の車両用灯具の通り、前記中心軸Ｏに対して傾斜している前記入射光Ｌ５および前記反射光Ｌ８が前記出射面６００、９００から前記中心軸Ｏに対して傾斜している出射光Ｌ６００、Ｌ９００として出射される。
【００４１】
そこで、図３（Ａ）に示す前記レンズ部材２０１の前記出射面６００、９００を分割補正して、図４に示す前記レンズ部材２０の分割補正された前記出射面６１０、６４０、９１０、９４０とする。これにより、図４においては、前記出射面６１０、６４０、９１０、９４０から、今まで図３（Ａ）に示すように前記中心軸Ｏに対して傾斜して出射していた前記出射光Ｌ６００、Ｌ９００を、所定の方向にたとえば前記中心軸Ｏに平行もしくはほぼ平行な平行出射光Ｌ６０、Ｌ９０として出射させることができる。なお、図４に示す前記レンズ部材２０は、図２（Ａ）に示す実施形態１の前記レンズ部材２における前記出射面６、９の前記魚眼プリズム群６９、９９を設けずに平面の前記出射面６１０、６４０、９１０、９４０とするものである。ここで、前記レンズ部材２の前記屈折系部分３の前記第１出射面６１は、平面の前記出射面６１０に対応する。以下、同様である。
【００４２】
以下、前記出射面６、９の分割補正について図６〜図１４を参照してさらに詳細に説明する。図６〜図１４は、図４に示す前記レンズ部材２０の平面の前記出射面６１０、６４０、９１０、９４０から出射される前記出射光Ｌ６００、Ｌ９００、前記平行出射光Ｌ６０、Ｌ９０、すなわち、スクリーン上に投影される４個の前記発光チップ１１〜１４の投影パターンＰ１１６、Ｐ１２６、Ｐ１３６、Ｐ１４６（以下の符号を省略）を示す説明図である。
【００４３】
ここで、一面の前記出射面６、９をそのまま分割せずに補正しただけでは、前記出射光Ｌ６００、Ｌ９００に対する前記平行出射光Ｌ６０、Ｌ９０の補正の効果が低減してしまう。そこで、まず、前記出射面６、９を、４個の前記発光チップ１１〜１４に近い前記屈折系部分３の前記出射面６と、４個の前記発光チップ１１〜１４から遠い前記反射系部分４の前記出射面９と、に分割する。つぎに、前記屈折系部分３の前記出射面６を、前記中央部分６０と、前記周辺部分と、に分割する。さらに、前記屈折系部分３の前記出射面６の前記周辺部分および前記反射系部分４の前記出射面９を、前記の通り、８個にそれぞれ分割する。
【００４４】
そして、図４において、８個にそれぞれ分割された前記出射面６１０、６４０、９１０、９４０を、１個ずつ補正する。なお、前記屈折系部分３の前記出射面６の前記中央部分６０は、補正しない。これは、前記中央部分６０の面積が小さいので、補正しなくとも、所定の配光パターンこの例ではリアフォグランプの配光パターンの形成への影響が小さい。逆に、前記中心軸Ｏを含む前記中央部分６０を補正すると、所定の配光パターンこの例ではリアフォグランプの配光パターンの形成への影響が出る場合がある。このために、前記中央部分６０を補正しない。
【００４５】
以下、前記屈折系部分３の前記出射面６１０、６４０の補正について説明する。ここで、前記屈折系部分３の各前記出射面６１０、６４０において、出射面に近い発光チップからの光の強さと、出射面から遠い発光チップからの光の強さと、の違い（差）が小さいので、４個の前記発光チップ１１〜１４からの光を使用する。
【００４６】
まず、前記屈折系部分３の前記第１出射面６１に対応する平面の前記出射面６１０を、前記出射面６１０から出射する前記出射光Ｌ６００を前記平行出射光Ｌ６０となるように、補正する。すなわち、前記出射面６１０から出射する前記出射光Ｌ６００は、前記中心軸Ｏに対して傾斜しているので、４個の前記発光チップ１１〜１４の前記投影パターンＰ１１６、Ｐ１２６、Ｐ１３６、Ｐ１４６は、図６（Ａ）に示すように、右上にずれている。これに対して、前記出射面６１０から出射する前記平行出射光Ｌ６０は、所定の方向にたとえば前記中心軸Ｏに平行もしくはほぼ平行に出射されているので、４個の前記発光チップ１１〜１４の前記投影パターンＰ１１６、Ｐ１２６、Ｐ１３６、Ｐ１４６は、図６（Ｂ）に示すように、所定の位置に位置する。そこで、前記出射面６１０を、４個の前記発光チップ１１〜１４の前記投影パターンＰ１１６、Ｐ１２６、Ｐ１３６、Ｐ１４６が右上にずれている図６（Ａ）に示す状態から所定の位置に位置する図６（Ｂ）に示す状態となるように、補正する。これにより、前記出射面６１０から出射する前記出射光Ｌ６００を前記平行出射光Ｌ６０となるように、補正することができる。
【００４７】
つぎに、前記屈折系部分３の前記第２出射面６２に対応する平面の出射面（図示せず）を、４個の前記発光チップ１１〜１４の前記投影パターンＰ１１６、Ｐ１２６、Ｐ１３６、Ｐ１４６が上にずれている図７（Ａ）に示す状態から所定の位置に位置する図７（Ｂ）に示す状態となるように、補正する。以下、同様にして、前記屈折系部分３の前記第３出射面６３に対応する平面の出射面（図示せず）、前記屈折系部分３の前記第４出射面６４に対応する平面の前記出射面６４０、前記屈折系部分３の前記第５出射面６５に対応する平面の出射面（図示せず）、前記屈折系部分３の前記第６出射面６６に対応する平面の出射面（図示せず）、前記屈折系部分３の前記第７出射面６７に対応する平面の出射面（図示せず）、前記屈折系部分３の前記第８出射面６８に対応する平面の出射面（図示せず）、を補正する。
【００４８】
なお、前記屈折系部分３の前記第３出射面６３に対応する平面の出射面において、４個の前記発光チップ１１〜１４の前記投影パターンＰ１１６、Ｐ１２６、Ｐ１３６、Ｐ１４６のずれは、前記屈折系部分３の前記第２出射面６２に対応する平面の前記出射面における図７（Ａ）に示すずれに対して、スクリーンの上下の垂直線ＶＵ−ＶＤを対称線とする左右対称にずれている。
【００４９】
前記屈折系部分３の前記第４出射面６４に対応する平面の前記出射面６４０において、４個の前記発光チップ１１〜１４の前記投影パターンＰ１１６、Ｐ１２６、Ｐ１３６、Ｐ１４６のずれは、前記屈折系部分３の前記第１出射面６１に対応する平面の前記出射面における図６（Ａ）に示すずれに対して、スクリーンの上下の垂直線ＶＵ−ＶＤを対称線とする左右対称にずれている。
【００５０】
前記屈折系部分３の前記第５出射面６５に対応する平面の出射面において、４個の前記発光チップ１１〜１４の前記投影パターンＰ１１６、Ｐ１２６、Ｐ１３６、Ｐ１４６のずれは、前記屈折系部分３の前記第１出射面６１に対応する平面の前記出射面における図６（Ａ）に示すずれに対して、スクリーンの上下の垂直線ＶＵ−ＶＤと左右の水平線ＨＬ−ＨＲとの交点を対称点とする１８０°対称にずれている。
【００５１】
前記屈折系部分３の前記第６出射面６６に対応する平面の出射面において、４個の前記発光チップ１１〜１４の前記投影パターンＰ１１６、Ｐ１２６、Ｐ１３６、Ｐ１４６のずれは、前記屈折系部分３の前記第２出射面６２に対応する平面の前記出射面における図７（Ａ）に示すずれに対して、スクリーンの上下の垂直線ＶＵ−ＶＤと左右の水平線ＨＬ−ＨＲとの交点を対称点とする１８０°対称にずれている。
【００５２】
前記屈折系部分３の前記第７出射面６７に対応する平面の出射面において、４個の前記発光チップ１１〜１４の前記投影パターンＰ１１６、Ｐ１２６、Ｐ１３６、Ｐ１４６のずれは、前記屈折系部分３の前記第２出射面６２に対応する平面の前記出射面における図７（Ａ）に示すずれに対して、スクリーンの左右の水平線ＨＬ−ＨＲを対称線とする上下対称にずれている。
【００５３】
前記屈折系部分３の前記第８出射面６８に対応する平面の出射面において、４個の前記発光チップ１１〜１４の前記投影パターンＰ１１６、Ｐ１２６、Ｐ１３６、Ｐ１４６のずれは、前記屈折系部分３の前記第１出射面６１に対応する平面の前記出射面における図６（Ａ）に示すずれに対して、スクリーンの左右の水平線ＨＬ−ＨＲを対称線とする上下対称にずれている。
【００５４】
ここで、前記レンズ部材２０の前記屈折系部分３の平面の前記出射面６１０、６４０がすべて補正される前においては、４個の前記発光チップ１１〜１４の前記投影パターンＰ１１６、Ｐ１２６、Ｐ１３６、Ｐ１４６がすべてずれている。このすべてずれている４個の前記発光チップ１１〜１４の前記投影パターンＰ１１６、Ｐ１２６、Ｐ１３６、Ｐ１４６を合成（重畳）する。すると、図８（Ａ）に示すように、４個の前記発光チップ１１〜１４の拡散された投影パターンＰ１１６０、Ｐ１２６０、Ｐ１３６０、Ｐ１４６０となる。これに対して、前記レンズ部材２０の前記屈折系部分３の平面の前記出射面６１０、６４０をすべて補正することにより、図８（Ｂ）に示すように、４個の前記発光チップ１１〜１４の集束されかつ所定の位置に位置する投影パターンＰ１１６、Ｐ１２６、Ｐ１３６、Ｐ１４６となる。
【００５５】
以下、前記反射系部分４の前記出射面９１０、９４０の補正について説明する。ここで、前記反射系部分４の各前記出射面９１０、９４０において、出射面に近い発光チップからの光の強さと、出射面から遠い発光チップからの光の強さと、の違い（差）が非常に大きいので、出射面に近い発光チップからの強い光を使用する。
【００５６】
また、前記反射系部分４の前記出射面９１０、９４０における４個の前記発光チップ１１〜１４の投影パターンＰ１１９、Ｐ１２９、Ｐ１３９、Ｐ１４９のずれは、前記屈折系部分３の前記出射面６１０、６４０における４個の前記発光チップ１１〜１４の投影パターンＰ１１６、Ｐ１２６、Ｐ１３６、Ｐ１４６のずれと、同じもしくはほぼ同じである。
【００５７】
ここでは、１個の発光チップの光を使用する場合の前記反射系部分４の前記出射面９１０、９４０の補正について説明する。
【００５８】
まず、前記反射系部分４の前記第１出射面９１に対応する平面の前記出射面９１０を、前記出射面９１０から出射する前記出射光Ｌ９００を前記平行出射光Ｌ９０となるように、補正する。すなわち、前記出射面９１０から出射する前記出射光Ｌ９００は、前記中心軸Ｏに対して傾斜しているので、４個の前記発光チップ１１〜１４の前記投影パターンＰ１１９、Ｐ１２９、Ｐ１３９、Ｐ１４９は、図９（Ａ）（図６（Ａ）と同様の図である）に示すように、右上にずれている。これに対して、前記出射面９１０から出射する前記平行出射光Ｌ９０は、所定の方向にたとえば前記中心軸Ｏに平行もしくはほぼ平行に出射されているので、４個の前記発光チップ１１〜１４の前記投影パターンＰ１１９、Ｐ１２９、Ｐ１３９、Ｐ１４９は、図９（Ｂ）に示すように、所定の位置に位置する。すなわち、平面の前記出射面９１０に最も近い前記第１発光チップ１１の前記投影パターンＰ１１９の中心が、スクリーンの上下の垂直線ＶＵ−ＶＤと左右の水平線ＨＬ−ＨＲとの交点もしくはその近傍に位置する。そこで、前記出射面９１０を、４個の前記発光チップ１１〜１４の前記投影パターンＰ１１９、Ｐ１２９、Ｐ１３９、Ｐ１４９が右上にずれている図９（Ａ）に示す状態から所定の位置に位置する図９（Ｂ）に示す状態となるように、補正する。これにより、前記出射面９１０から出射する前記出射光Ｌ９００を前記平行出射光Ｌ９０となるように、補正することができる。
【００５９】
つぎに、前記反射系部分４の前記第２出射面９２に対応する平面の出射面（図示せず）を、４個の前記発光チップ１１〜１４の前記投影パターンＰ１１９、Ｐ１２９、Ｐ１３９、Ｐ１４９が上にずれている図１０（Ａ）（図７（Ａ）と同様の図である）に示す状態から所定の位置に位置する図１０（Ｂ）に示す状態となるように、補正する。すなわち、前記反射系部分４の前記第２出射面９２に対応する平面の前記出射面に比較的近い前記第４発光チップ１４の前記投影パターンＰ１４９の中心が、スクリーンの上下の垂直線ＶＵ−ＶＤと左右の水平線ＨＬ−ＨＲとの交点もしくはその近傍に位置するように、補正する。以下、同様にして、前記反射系部分４の前記第３出射面９３に対応する平面の出射面（図示せず）、前記反射系部分４の前記第４出射面９４に対応する平面の前記出射面９４０、前記反射系部分４の前記第５出射面９５に対応する平面の出射面（図示せず）、前記反射系部分４の前記第６出射面９６に対応する平面の出射面（図示せず）、前記反射系部分４の前記第７出射面９７に対応する平面の出射面（図示せず）、前記反射系部分４の前記第８出射面９８に対応する平面の出射面（図示せず）、を補正する。
【００６０】
ここで、前記レンズ部材２０の前記反射系部分４の平面の前記出射面９１０、９４０がすべて補正される前においては、４個の前記発光チップ１１〜１４の前記投影パターンＰ１１９、Ｐ１２９、Ｐ１３９、Ｐ１４９がすべてずれている。このすべてずれている４個の前記発光チップ１１〜１４の前記投影パターンＰ１１９、Ｐ１２９、Ｐ１３９、Ｐ１４９を合成（重畳）する。すると、図１１（Ａ）（図８（Ａ）と同様の図である）に示すように、４個の前記発光チップ１１〜１４の拡散された投影パターンＰ１１９０、Ｐ１２９０、Ｐ１３９０、Ｐ１４９０となる。これに対して、前記レンズ部材２０の前記反射系部分４の平面の前記出射面９１０、９４０をすべて補正することにより、図１１（Ｂ）に示すように、４個の前記発光チップ１１〜１４の集束されかつ所定の位置に位置する投影パターンＰ９０となる。前記投影パターンＰ９０の中心は、スクリーンの上下の垂直線ＶＵ−ＶＤと左右の水平線ＨＬ−ＨＲとの交点もしくはその近傍に位置する。
【００６１】
つづいては、２個の発光チップの光を使用する場合の前記反射系部分４の前記出射面９１０、９４０の補正について説明する。
【００６２】
まず、前記反射系部分４の前記第１出射面９１に対応する平面の前記出射面９１０を、前記出射面９１０から出射する前記出射光Ｌ９００を前記平行出射光Ｌ９０となるように、補正する。すなわち、前記出射面９１０から出射する前記出射光Ｌ９００は、前記中心軸Ｏに対して傾斜しているので、４個の前記発光チップ１１〜１４の前記投影パターンＰ１１９、Ｐ１２９、Ｐ１３９、Ｐ１４９は、図９（Ａ）（図６（Ａ）と同様の図である）に示すように、右上にずれている。これに対して、前記出射面９１０から出射する前記平行出射光Ｌ９０は、所定の方向にたとえば前記中心軸Ｏに平行もしくはほぼ平行に出射されているので、４個の前記発光チップ１１〜１４の前記投影パターンＰ１１９、Ｐ１２９、Ｐ１３９、Ｐ１４９は、図１２（Ａ）に示すように、所定の位置に位置する。すなわち、平面の前記出射面９１０に最も近い前記第１発光チップ１１の前記投影パターンＰ１１９の中心と、平面の前記出射面９１０に比較的近い前記第４発光チップ１４の前記投影パターンＰ１４９の中心とが、スクリーンの上下の垂直線ＶＵ−ＶＤ上もしくはその近傍に位置し、かつ、スクリーンの左右の水平線ＨＬ−ＨＲを挟んで等距離もしくはほぼ等距離の位置に位置する。そこで、前記出射面９１０を、４個の前記発光チップ１１〜１４の前記投影パターンＰ１１９、Ｐ１２９、Ｐ１３９、Ｐ１４９が右上にずれている図９（Ａ）に示す状態から所定の位置に位置する図１２（Ａ）に示す状態となるように、補正する。これにより、前記出射面９１０から出射する前記出射光Ｌ９００を前記平行出射光Ｌ９０となるように、補正することができる。
【００６３】
つぎに、前記反射系部分４の前記第２出射面９２に対応する平面の出射面（図示せず）を、４個の前記発光チップ１１〜１４の前記投影パターンＰ１１９、Ｐ１２９、Ｐ１３９、Ｐ１４９が上にずれている図１０（Ａ）（図７（Ａ）と同様の図である）に示す状態から所定の位置に位置する図１２（Ｂ）に示す状態となるように、補正する。すなわち、前記第３発光チップ１３の前記投影パターンＰ１３９の中心と、前記第４発光チップ１４の前記投影パターンＰ１４９の中心とが、スクリーンの左右の水平線ＨＬ−ＨＲ上もしくはその近傍に位置し、かつ、スクリーンの上下の垂直線ＶＵ−ＶＤを挟んで等距離もしくはほぼ等距離の位置に位置するように、補正する。以下、同様にして、前記反射系部分４の前記第３出射面９３に対応する平面の出射面（図示せず）、前記反射系部分４の前記第４出射面９４に対応する平面の前記出射面９４０、前記反射系部分４の前記第５出射面９５に対応する平面の出射面（図示せず）、前記反射系部分４の前記第６出射面９６に対応する平面の出射面（図示せず）、前記反射系部分４の前記第７出射面９７に対応する平面の出射面（図示せず）、前記反射系部分４の前記第８出射面９８に対応する平面の出射面（図示せず）、を補正する。
【００６４】
ここで、前記レンズ部材２０の前記反射系部分４の平面の前記出射面９１０、９４０がすべて補正される前においては、４個の前記発光チップ１１〜１４の前記投影パターンＰ１１９、Ｐ１２９、Ｐ１３９、Ｐ１４９がすべてずれている。このすべてずれている４個の前記発光チップ１１〜１４の前記投影パターンＰ１１９、Ｐ１２９、Ｐ１３９、Ｐ１４９を合成（重畳）する。すると、図１１（Ａ）（図８（Ａ）と同様の図である）に示すように、４個の前記発光チップ１１〜１４の拡散された投影パターンＰ１１９０、Ｐ１２９０、Ｐ１３９０、Ｐ１４９０となる。
【００６５】
これに対して、前記レンズ部材２０の前記反射系部分４の平面の前記出射面９１０、９４０および前記第５出射面９５に対応する平面の出射面および前記第８出射面９８に対応する平面の出射面を補正することにより、図１３（Ａ）に示すように、４個の前記発光チップ１１〜１４の集束されかつ所定の位置に位置する投影パターンＰ９１、Ｐ９３となる。前記投影パターンＰ９１、Ｐ９３の中心は、スクリーンの上下の垂直線ＶＵ−ＶＤ上もしくはその近傍に位置し、かつ、スクリーンの左右の水平線ＨＬ−ＨＲを挟んで等距離もしくはほぼ等距離の位置に位置する。
【００６６】
また、前記レンズ部材２０の前記反射系部分４の前記第２出射面９２に対応する平面の出射面および前記第３出射面９３に対応する平面の出射面および前記第６出射面９６に対応する平面の出射面および前記第７出射面９７に対応する平面の出射面を補正することにより、図１３（Ｂ）に示すように、４個の前記発光チップ１１〜１４の集束されかつ所定の位置に位置する投影パターンＰ９２、Ｐ９４となる。前記投影パターンＰ９２、Ｐ９４の中心は、スクリーンの左右の水平線ＨＬ−ＨＲ上もしくはその近傍に位置し、かつ、スクリーンの上下の垂直線ＶＵ−ＶＤを挟んで等距離もしくはほぼ等距離の位置に位置する。
【００６７】
そして、前記レンズ部材２０の前記反射系部分４の前記出射面９をすべて補正することにより、図１４に示すように、４個の前記発光チップ１１〜１４の集束されかつ所定の位置に位置する投影パターンＰ９１、Ｐ９２、Ｐ９３、Ｐ９４となる。すなわち、図１３（Ａ）に示す前記投影パターンＰ９１、Ｐ９３と、図１３（Ｂ）に示す前記投影パターンＰ９２、Ｐ９４とが合成（重畳）される。
【００６８】
（実施形態１の作用の説明）
この実施形態１における車両用灯具は、以上のごとき構成からなり、以下、その作用について説明する。
【００６９】
半導体型光源１の４個の発光チップ１１〜１４を点灯する。すると、図２（Ａ）に示すように、４個の発光チップ１１〜１４から放射される光Ｌ１、Ｌ２は、レンズ部材２の屈折系部分３の入射面５からレンズ部材２中に入射する。その入射光Ｌ５は、レンズ部材２の屈折系部分３の出射面６（６１〜６８）から所定の方向に出射する。その出射光Ｌ６は、魚眼プリズム群６９により拡散されている。
【００７０】
また、図２（Ａ）に示すように、４個の発光チップ１１〜１４から放射される光Ｌ１、Ｌ２は、レンズ部材２の反射系部分４の入射面７からレンズ部材２中に入射する。その入射光Ｌ７は、レンズ部材２の反射系部分４の反射面８において反射する。その反射光Ｌ８は、レンズ部材２の屈折系部分３の出射面９（９１〜９８）から所定の方向に出射する。その出射光Ｌ９は、魚眼プリズム群９９により拡散されている。
【００７１】
そして、レンズ部材２の屈折系部分３の出射面６（６１〜６８）から所定の方向に出射された拡散出射光Ｌ６、および、レンズ部材２の屈折系部分３の出射面９（９１〜９８）から所定の方向に出射された拡散出射光Ｌ９により、図５（Ｂ）、（Ｃ）中の二点鎖線に示す光度曲線のリアフォグランプの配光パターンが得られる。この図５（Ｂ）、（Ｃ）中の二点鎖線に示す光度曲線のリアフォグランプの配光パターンは、図５（Ａ）、および、図５（Ｂ）、（Ｃ）中の実線光度線に示す理想のリアフォグランプの配光パターンＲＦＰに近似している。
【００７２】
（実施形態１の効果の説明）
この実施形態１における車両用灯具は、以上のごとき構成および作用からなり、以下、その効果について説明する。
【００７３】
この実施形態１における車両用灯具は、半導体型光源１が複数個この例では４個の発光チップ１１〜１４を有するので、所定の配光パターンこの例ではリアフォグランプの配光パターンの光度が十分に満足することができる。すなわち、制御することができる光（有効光束量）を増加させることができるので、配光パターンの設計が容易になる。
【００７４】
しかも、この実施形態１における車両用灯具は、レンズ部材２の屈折系部分３の複数個この例では８個の出射面６１〜６８が、それぞれ、出射光Ｌ６の出射方向が所定の方向となるように、補正されているものである。このために、出射光Ｌ６を無駄なく所定の配光パターンこの例ではリアフォグランプの配光パターンの形成に寄与させることができる。これにより、所定の配光パターンこの例ではリアフォグランプの配光パターンの光度がさらに十分に満足することができる。すなわち、制御することができる光（有効光束量）をさらに増加させることができるので、配光パターンの設計がさらに容易になる。
【００７５】
その上、この実施形態１における車両用灯具は、レンズ部材２の反射系部分４の複数個この例では８個の出射面９１〜９８が、それぞれ、出射光Ｌ９の出射方向が所定の方向となるように、補正されているものである。このために、出射光Ｌ９を無駄なく所定の配光パターンこの例ではリアフォグランプの配光パターンの形成に寄与させることができる。これにより、所定の配光パターンこの例ではリアフォグランプの配光パターンの光度がさらに十分に満足することができる。すなわち、制御することができる光（有効光束量）をさらに増加させることができるので、配光パターンの設計がさらに容易になる。
【００７６】
この実施形態１における車両用灯具は、レンズ部材２の屈折系部分３の出射面６および反射系部分４の出射面９には、出射光Ｌ６、Ｌ９を拡散させる拡散系光学素子群この例では魚眼プリズム群６９、９９がそれぞれ設けられている。このために、出射面６、９から出射する出射光Ｌ６、Ｌ９を拡散させることができる。これにより、所定の配光パターンこの例ではリアフォグランプの配光パターンを形成することができる。
【００７７】
（実施形態２の構成、作用、効果の説明）
図１５は、この発明にかかる車両用灯具の実施形態２を示す。以下、この実施形態２にかかる車両用灯具について説明する。図中、図１〜図１４と同符号は、同一のものを示す。
【００７８】
前記の実施形態１の車両用灯具は、図２（Ａ）に示すように、レンズ部材２の出射面６、９に拡散系光学素子群この例では魚眼プリズム群６９、９９を直接設けたものである。これに対して、この実施形態２にかかる車両用灯具は、レンズ部材を本体部分（図４に示すレンズ部材２０）２０と拡散部分２３とに、分割したものである。前記拡散部分２３の入射面２１を平面として、前記本体部分２０の平面の出射面６、９に対向させる。かつ、前記拡散部分２３の出射面２２に拡散系光学素子群この例では魚眼プリズム群を設ける。
【００７９】
この実施形態２にかかる車両用灯具は、以上のごとき構成からなるので、前記の実施形態１の車両用灯具とほぼ同様の作用、効果を達成することができる。
【００８０】
すなわち、本体部分２０の出射面６１０、９１０から出射される平行出射光Ｌ６０、Ｌ９０は、拡散部分２３の入射面２１から拡散部分２３中に入射する。その平行入射光Ｌ２０は、拡散部分２３の出射面２２から拡散された出射光Ｌ６、Ｌ９として出射する。
【００８１】
この実施形態２にかかる車両用灯具は、レンズ部材を本体部分２０と拡散部分２３とに、分割したものであるから、本体部分２０の肉厚を薄くすることができる。これにより、本体部分２０の歪を抑制することができ、その歪による光路への影響を抑制することができる。
【００８２】
（実施形態１、２以外の例の説明）
なお、前記の実施形態１、２においては、リアコンビネーションランプのリアフォグランプについて説明するものである。ところが、この発明においては、リアコンビネーションランプのリアフォグランプ以外の車両用灯具、たとえば、リアコンビネーションランプのストップランプ、テールランプ、テール・ストップランプ、ターンシグナルランプ、クリアランスランプ、あるいは、フロントコンビネーションランプのクリアランスランプ、ターンシグナルランプ、デイタイムランニングランプなどにも適用することができる。
【００８３】
また、前記の実施形態１、２においては、レンズ部材２の屈折系部分３の出射面６を中央部分６０と周辺部分とに分割するものである。ところが、この発明においては、レンズ部材２の屈折系部分３の出射面６を中央部分６０と周辺部分とに分割しなくても良い。この場合において、レンズ部材２の屈折系部分３の出射面６は、中心軸Ｏを中心とする放射状に複数個に分割される。すなわち、中央部分６０が周辺部分と同様に分割される。
【００８４】
さらに、前記の実施形態１、２においては、半導体型光源１の発光チップ１１〜１４が４個である。ところが、この発明においては、半導体型光源の発光チップの個数を限定しない。すなわち、２個、３個、５個以上であっても良い。
【００８５】
さらにまた、前記の実施形態１、２においては、レンズ部材２の出射面６、９を８個に分割するものである。ところが、この発明においては、レンズ部材２の出射面６、９の分割の個数を限定しない。すなわち、半導体型光源１の発光チップの個数に基づいて、レンズ部材２の出射面６、９の分割個数を設定する。
【００８６】
さらにまた、前記の実施形態１、２においては、レンズ部材２の出射面６、９の正面視形状が円形をなすものである。ところが、この発明においては、レンズ部材２の出射面６、９の正面視形状が円形以外の形状であっても良い。
【符号の説明】
【００８７】
１  半導体型光源
１０  基板
１１  第１発光チップ
１２  第２発光チップ
１３  第３発光チップ
１４  第４発光チップ
１００  比較例の半導体型光源
１０１  発光チップ
２  レンズ部材
２０  出射面が平面であり補正後のレンズ部材
２１  入射面
２２  出射面
２３  拡散部分
２００  比較例のレンズ部材
２０１  出射面が平面であり補正前のレンズ部材
３  屈折系部分
４  反射系部分
５  入射面
６  出射面
６０  中央部分
６１  第１出射面
６２  第２出射面
６３  第３出射面
６４  第４出射面
６５  第５出射面
６６  第６出射面
６７  第７出射面
６８  第８出射面
６９  魚眼プリズム群
６００  平面の出射面
６１０  第１出射面６１に対応する平面の出射面
６４０  第４出射面６４に対応する平面の出射面
７  入射面
８  反射面
９  出射面
９１  第１出射面
９２  第２出射面
９３  第３出射面
９４  第４出射面
９５  第５出射面
９６  第６出射面
９７  第７出射面
９８  第８出射面
９９  魚眼プリズム群
９００  平面の出射面
９１０  第１出射面９１に対応する平面の出射面
９４０  第４出射面９４に対応する平面の出射面
ＨＬ−ＨＲ  スクリーンの左右の水平線
Ｌ０  １個の発光チップから放射される光
Ｌ１  第１発光チップから放射される光
Ｌ２  第２発光チップから放射される光
Ｌ５  入射光
Ｌ６  拡散された出射光
Ｌ７  入射光
Ｌ８  反射光
Ｌ９  拡散された出射光
Ｌ２０  平行入射光
Ｌ５０  平行入射光
Ｌ６０  平行出射光
Ｌ８０  平行反射光
Ｌ９０  平行出射光
Ｌ６００  傾斜した出射光
Ｌ９００  傾斜した出射光
Ｏ  中心軸
Ｐ９０、Ｐ９１、Ｐ９２、Ｐ９３、Ｐ９４  集束された投影パターン
Ｐ１１６、Ｐ１２６、Ｐ１３６、Ｐ１４６  投影パターン
Ｐ１１９、Ｐ１２９、Ｐ１３９、Ｐ１４９  投影パターン
Ｐ１１６０、Ｐ１２６０、Ｐ１３６０、Ｐ１４６０  拡散された投影パターン
Ｐ１１９０、Ｐ１２９０、Ｐ１３９０、Ｐ１４９０  拡散された投影パターン
ＲＦＰ  理想のリアフォグランプの配光パターン
ＶＵ−ＶＤ  スクリーンの上下の垂直線
【図１】
2016100087.tif 000003
【図２】
2016100087.tif 000004
【図３】
2016100087.tif 000005
【図４】
2016100087.tif 000006
【図５】
2016100087.tif 000007
【図６】
2016100087.tif 000008
【図７】
2016100087.tif 000009
【図８】
2016100087.tif 000010
【図９】
2016100087.tif 000011
【図１０】
2016100087.tif 000012
【図１１】
2016100087.tif 000013
【図１２】
2016100087.tif 000014
【図１３】
2016100087.tif 000015
【図１４】
2016100087.tif 000016
【図１５】
2016100087.tif 000017